(57)【要約】【課題】用途の異なる２種以上のＬＥＤを簡単な構造で点灯させることができるＬＥＤ照射装置を提供する。【解決手段】ＬＥＤ照射装置は、第１用途用の光を出射する複数個の第１ＬＥＤ１１と、前記第１用途と異なる第２用途用の光を出射する１個又は複数個の第２ＬＥＤ１３とを備え、前記第２ＬＥＤ１３は、２個以上の前記第１ＬＥＤを接続する導電路１８上に接続されている。ここでは、第１ＬＥＤ１１は、一般照明用の白色光を出射し、第２ＬＥＤ１３は蓄光材料のエネルギ蓄積用の紫外線を出射する。【選択図】図４
2015165456.tif 000002
【特許請求の範囲】
【請求項１】
第１用途用の光を出射する複数個の第１ＬＥＤと、
前記第１用途と異なる第２用途用の光を出射する１個又は複数個の第２ＬＥＤと
を備え、
前記第２ＬＥＤは、２個以上の前記第１ＬＥＤを接続する導電路上に接続されている
ことを特徴とするＬＥＤ照射装置。
【請求項２】
前記第１用途は一般照明であり、第２用途は蓄光材料へのエネルギ蓄積であり、
前記第１ＬＥＤは白色光を出射し、前記第２ＬＥＤは紫外線を出射する
ことを特徴とする請求項１に記載のＬＥＤ出射装置。
【請求項３】
裏面が造営材に装着されるベースを備え、
前記第１ＬＥＤと前記第２ＬＥＤとは前記ベースの表面に装着され、
前記ベースの前記表面における前記第１ＬＥＤと前記第２ＬＥＤとが装着されている領域以外に蓄光材料が設けられている
ことを特徴とする請求項２に記載のＬＥＤ出射装置。
【請求項４】
導光板と、当該導光板の裏面に配された反射部材とを備え、
前記第１ＬＥＤ及び第２ＬＥＤが前記導光板の端面に対向配置され、
前記反射部材における前記導光板と対向する面に蓄光材料が設けられている
ことを特徴とする請求項２に記載のＬＥＤ出射装置。
【発明の詳細な説明】
【技術分野】
【０００１】
本発明は、ＬＥＤを用いた照射装置に関する。
【背景技術】
【０００２】
近年、ＬＥＤ光源の用途が拡大している。ＬＥＤは、所定領域の波長の光を照射する。このため、ある特定の波長領域に特化したＬＥＤを本来の用途と異なる別の用途で使用するものが提案されている（例えば、特許文献１、２）。以下、紫外線を照射する紫外線ＬＥＤをＬＥＤの本来の用途と異なる別の用途に使用した例を説明する。
【０００３】
例えば、地下鉄のホーム、地下道及び屋内の階段等（以下、単に、「地下鉄のホーム等」とする。）において、停電時に人を安全に避難させるための畜光照明体（例えば、特許文献２）が提案されている。
【０００４】
この蓄光照明体は、白色ＬＥＤと紫外線ＬＥＤとを有する光源部と、蓄光材料を含む蓄光層と、誘導情報が表示された表示パネルとを備える。白色ＬＥＤ（第１ＬＥＤ）は、通常時に表示パネルを表示する主の用途（第１用途）として用いられている。これに対し、紫外線ＬＥＤ（第２ＬＥＤ）は、蓄光材料へエネルギを蓄積する用途（第２用途）として用いられている。
【０００５】
なお、蓄光材料を利用した他の例としては、蓄光材料が表面に塗布された蓄光テープや、蓄光材料が表示板や針に塗布されたアナログ式時計等がある。蓄光テープは、例えば、消灯後も暫く発光するため、階段の輪郭が分るように階段のヘリに貼り付けられて使用される。
【先行技術文献】
【特許文献】
【０００６】
【特許文献１】特開２００６−１２５１１号公報
【特許文献２】特開２０１０−１５３２３８号公報
【発明の概要】
【発明が解決しようとする課題】
【０００７】
上記の蓄光照明体において、第２ＬＥＤである紫外線ＬＥＤは、第１用途の第２ＬＥＤである白色ＬＥＤとは別の導電路から受電する。つまり、蓄光照明体は、紫外線ＬＥＤを点灯（接続）させるための導電路を白色ＬＥＤの導電路と別に備える必要がある。
【０００８】
このため、用途の異なる２種以上のＬＥＤを点灯させるための構成が複雑となり、製作コスト及び部品コストの点で、安価に実施できないという問題点がある。換言すると、従来から第１用途で使用されている第１ＬＥＤに追加して、第２用途で使用される第２ＬＥＤを使用するような場合、電気的接続構造や点灯回路を設計し直す必要があり、容易に実施できない。
【０００９】
本発明は、用途の異なる２種以上のＬＥＤを簡単な構造で点灯させることができるＬＥＤ照射装置を提供することを目的とする。
【課題を解決するための手段】
【００１０】
本発明に係るＬＥＤ照射装置は、第１用途用の光を出射する複数個の第１ＬＥＤと、前記第１用途と異なる第２用途用の光を出射する１個又は複数個の第２ＬＥＤとを備え、前記第２ＬＥＤは、２個以上の前記第１ＬＥＤを接続する導電路上に接続されていることを特徴としている。
【００１１】
ここで、第１用途と、第１用途と異なる第２用途とは、第２ＬＥＤから出射される光を必要とせずに第１用途の目的を主として達成でき、且つ、第１ＬＥＤから出射される光を必要とせずに第２用途の目的を主として達成できるような関係を有している。
【００１２】
この「目的を主として達成でき」とは、例えば、第１ＬＥＤから出射される光の波長領域と、第２ＬＥＤから出射される光の波長領域とが重なるような場合、第１ＬＥＤから出射される光による第１用途の目的達成の貢献度が、第２ＬＥＤから出射される光による第１用途の目的達成の貢献度より高く、第２ＬＥＤから出射される光による第２用途の目的達成の貢献度が、第１ＬＥＤから出射される光による第２用途の目的達成の貢献度より高いことをいう。
【００１３】
また、前記第１用途は一般照明であり、第２用途は蓄光材料へのエネルギ蓄積であり、前記第１ＬＥＤは白色光を出射し、前記第２ＬＥＤは紫外線を出射することを特徴としている。
【００１４】
また、裏面が造営材に装着されるベースを備え、前記第１ＬＥＤと前記第２ＬＥＤとは前記ベースの表面に装着され、前記ベースの前記表面における前記第１ＬＥＤと前記第２ＬＥＤとが装着されている領域以外に蓄光材料が設けられていることを特徴としている。
【００１５】
また、導光板と、当該導光板の裏面に配された反射部材とを備え、前記第１ＬＥＤ及び第２ＬＥＤが前記導光板の端面に対向配置され、前記反射部材における前記導光板と対向する面に蓄光材料が設けられていることを特徴としている。
【発明の効果】
【００１６】
本発明に係るＬＥＤ照射装置では、２個以上の第１ＬＥＤを接続する導電路上に第２ＬＥＤを接続している。これにより、第２ＬＥＤ用の導電路を第１ＬＥＤとは別に設ける必要がなくなり、用途の異なる２種以上の第１ＬＥＤと第２ＬＥＤとを簡単な構造で点灯させることができる。
【図面の簡単な説明】
【００１７】
【図１】第１の実施形態に係るＬＥＤ照明装置が天井に装着された状態を下方から見た斜視図である。
【図２】ＬＥＤ照明装置の横断面図である。
【図３】光源部の平面図である。
【図４】光源部の構成図である。
【図５】点灯回路のブロック図である。
【図６】蓄光材料の励起スペクトルを示す図である。
【図７】第２の実施形態に係るＬＥＤ電球の全体図である。
【図８】光源部の平面図である。
【図９】第３の実施形態に係るＬＥＤ照射装置の平面図である。
【図１０】１つの光源ユニットの一端側の斜視図である。
【図１１】ＬＥＤ照射装置の一端側の拡大平面図である。
【図１２】ＬＥＤ照射装置の使用状態を示す断面図である。
【発明を実施するための最良の形態】
【００１８】
以下、本発明に係るＬＥＤ照射装置の実施形態について説明する。
＜第１の実施形態＞
本発明に係るＬＥＤ照射装置を一般照明用のＬＥＤ照明装置に適用した実施形態について、以下、説明する。
【００１９】
つまり、第１の実施形態のＬＥＤ照明装置１は、第１用途が一般照明、第２用途が蓄光材料へのエネルギ蓄積であり、第１ＬＥＤが白色ＬＥＤ、第２ＬＥＤが紫外線ＬＥＤである。
【００２０】
１．全体構成
図１は、第１の実施形態に係るＬＥＤ照明装置１が天井３に装着された状態を下方から見た斜視図である。図２は、ＬＥＤ照明装置１の横断面図である。
【００２１】
ＬＥＤ照明装置１は、天井３に取り付けられている。床側から照明装置１が見える側を表側とし、天井３側を裏側とする。なお、ここでの天井３は、地下鉄のホームの天井である。
【００２２】
ＬＥＤ照明装置１は、図１及び図２に示すように、天井３に装着されるベース５と、ベース５に装着された光源部７と、光源部７を点灯させる点灯回路２１と、ベース５に着脱自在に装着され且つ光源部７を覆うカバー９とを備える。
【００２３】
２．各部構成
（１）ベース
ベース５は、ＬＥＤ照明装置１を天井３に装着させる機能を主として有する。ベース５は、他に、光源部７を装着する機能を有し、さらに、カバー９を装着する機能を有する。なお、本実施形態に係るＬＥＤ照明装置１はカバー９を有しているが、カバーを有していないＬＥＤ照明装置の場合、ベースはカバー装着機能を有していない。
【００２４】
ベース５は、全体形状として、箱状であって下壁に開口５３ｃを有するような形状をし、箱内の上壁に光源部７が装着され、下壁の開口５３ｃを利用してカバー９が装着されている。ベース５は、平板部５１と枠部５３を有する。
【００２５】
平板部５１は、図１から分かるように、細長い矩形状をしている。平板部（上述の箱の上壁である。）５１の下面には、図１及び図２に示すように、光源部７が装着される。
【００２６】
平板部５１への光源部７の装着には、例えば、螺合手段、接着手段、係合手段等を利用することができる。ここでは、ネジを利用した螺合手段が採用されている(図示省略）。なお、平板部５１には、天井３の裏側に配された点灯回路２１と光源部７とを電気的に接続し且つ天井３の貫通孔３ａを挿通するケーブル２９用の貫通孔が形成されている。
【００２７】
枠部５３は、矩形状の平板部５１の各辺から下方に延伸する側壁部分５３ａと、側壁部分５３ａの下端から内方へ張り出す内鍔部分５３ｂとを有する。内鍔部分５３ｂが上述の箱状の下壁に相当し、内鍔部分５３ｂの内周縁により開口５３ｃが形成される。
【００２８】
ベース５は、金属材料、樹脂材料等から構成される。金属材料としては、例えば、鉄（合金を含む。）、鋼（合金を含む。）、アルミニウム(合金を含む）等がある。特に、アルミニウムを使用すると、装置全体の軽量化を図ることができる。
【００２９】
また、点灯時のＬＥＤ１１，１３から発生する熱の放熱性を考慮すると、熱伝導率の高い材料を利用するのが好ましい。
【００３０】
（２）光源部
図３は、光源部７の平面図であり、図４は、光源部７の構成図である。
【００３１】
光源部７は、複数の白色ＬＥＤ１１と複数の紫外線ＬＥＤ１３とからなる。複数のＬＥＤ１１，１３は、主面に配線パターン（図示省略）が形成されている基板１７に実装される。配線パターンは、複数のＬＥＤ１１，１３を電気的に接続するための導電路１８や点灯回路２１と電気的に接続するための接続端子１９，２０が含まれる。
【００３２】
ここでは、点灯回路２１との接続は、図２、図３に示すような、ケーブル２９のコネクタと着脱自在に装着されるコネクタ２０が利用されている。コネクタ２０は、接続端子１９，２０を含む。
【００３３】
所定個数の紫外線ＬＥＤ１３は、所定個数の白色ＬＥＤ１１を接続する導電路１８上に実装されている。ここでは、すべてのＬＥＤ１１，１３の合計数は、２１６個である。２１６個のうち、２１０個が白色ＬＥＤ１１で、６個が紫外線ＬＥＤ１３である。
【００３４】
２１６個のＬＥＤ１１，１３は、３５個の白色ＬＥＤ１１と１個の紫外線ＬＥＤ１３とが直列接続されてなる６つの直列群１５が並列に接続されている。つまり、２１６個のＬＥＤ１１，１３は３６直６並列に接続され、６個の紫外線ＬＥＤ１３が各直列群１５内の導電路１８に１個配されている。
【００３５】
例えば、白色ＬＥＤだけを３６直６並列に接続した従来の照明装置において、６個の各直列群を構成している１つの白色ＬＥＤ１１を１つの紫外線ＬＥＤ１３に置き換えたものであり、従来の基板と点灯回路をそのまま利用できる。
【００３６】
なお、２１６個のＬＥＤ１１，１３は、図１〜図３に示すように、１列のＬＥＤ数が１０８個で、２列状に配されている。
【００３７】
紫外線ＬＥＤ１３は、例えば３５０ｎｍ〜４５０ｎｍの波長領域の紫外線又は紫外線に近い光を出射する。ここでの３５０ｎｍ〜４５０ｎｍは、ピーク波長が３５０ｎｍ〜４５０ｎｍの範囲内にあることをいい、例えば、ピーク波長が３８５ｎｍの紫外線等が該当する。ピーク波長としては、３８５ｎｍ以外に、例えば、３７５ｎｍ、３８５ｎｍ、３９５ｎｍ、４０５ｎｍ等がある。
【００３８】
なお、一般的に、紫外線と可視光との境界は明確でなく、ここでは、ピーク波長が３５０ｎｍ〜４５０ｎｍの光を紫外線に属するとしている。
【００３９】
例えば、紫外線の使用用途が蓄光材料のエネルギ蓄積である場合は、３６０ｎｍ〜４１０ｎｍの波長領域の紫外線を照射する。特に、地下鉄のホーム等のように、蓄光材料が人の生活空間に存在している場合は、紫外線ＬＥＤ１３の波長は、３８０ｎｍ以上が好ましい。
【００４０】
なお、紫外線ＬＥＤ１３の出射する光のピーク波長が可視光に近づくと、紫外線ＬＥＤ１３からの光が一般照明の用途にも利用され貢献するが、白色ＬＥＤ１１からの光が一般照明の用途に対してする貢献度よりは小さい。
【００４１】
逆に、白色ＬＥＤ１１の出射する光のピーク波長が紫外線に近づくと、白色ＬＥＤ１１からの光が蓄光材料のエネルギ蓄積の用途にも利用され貢献するが、紫外線ＬＥＤ１３からの光が蓄光材料のエネルギ蓄積の用途に対してする貢献度よりは小さい。
【００４２】
なお、このようなピーク波長が紫外線に近い可視光を出射するＬＥＤを利用する場合、単独で利用することもできる。
【００４３】
このような紫外線ＬＥＤ１３は、工業化されて、例えば、日亜化学工業株式会社等から市販されており、所定の波長領域の紫外線を照射する紫外線ＬＥＤを適宜選択して利用できる。
【００４４】
ＬＥＤ照明装置から照射される紫外線量は、従来の直管状の蛍光灯から出射される紫外線量と略等しくなっている。つまり、蛍光灯において内部の水銀が励起されて発する紫外線の内、蛍光体で波長変換されなかった紫外線量と略等しい。これは、地下鉄のホーム等で使用されている蓄光材料は、従来の蛍光灯を用いた照明装置下で、十分なエネルギを蓄積できていたからである。
【００４５】
また、白色ＬＥＤ１１と置き換わる紫外線ＬＥＤ１３は、その順電圧（Ｖｆ）が、白色ＬＥＤ１１の順電圧（Ｖｆ）に対して（つまり、紫外線ＬＥＤ／白色ＬＥＤである。）、０．７倍〜１．３倍の範囲内にある。
【００４６】
（３）点灯回路
図５は、点灯回路のブロック図である。
点灯回路２１は、整流回路２３、平滑回路２５、電圧変換回路２７等を有する。点灯回路２１は、２１６個の白色ＬＥＤを３６直列６並列で接続した場合の点灯回路と同じ構成である。つまり、従来の照明装置に対して、所定数の白色ＬＥＤ１１を紫外線ＬＥＤ１３に置き換えたものであり、この紫外線ＬＥＤ１３を実装する構成以外の他の構成は、従来の照明装置の構成を利用できる。
【００４７】
整流回路２３は、例えばダイオードブリッジにより構成される。平滑回路２５は、例えば電解コンデンサにより構成される。電圧変換回路２７は、ここでは、降圧チョッパにより構成される。本例においては、白色ＬＥＤ１１の順電圧（Ｖｆ）が３Ｖであり、紫外線ＬＥＤ１３の順電圧（Ｖｆ）が３．５Ｖである。
【００４８】
点灯回路２１は、図示しないが、複数の電子部品が、所望の機能(例えば、昇圧）の回路を構成するように、回路基板に実装され、図２に示すように、筐体２８内に収容されている。筐体２８は、図２に示すように、例えば天井３の裏に配され、商用電源と接続される。
【００４９】
（４）カバー
カバー９は、主として、光源部７を保護する機能を有する。カバー９は、意匠性を向上させる機能や、グレア防止機能等を有する。
【００５０】
カバー９は、透光性材料から構成されている。具体的には、アクリル、ポリカーボネート等の樹脂材料やガラス材料がある。軽量化の観点から樹脂材料が利用される。
【００５１】
カバー９は、図１から分かるように長尺状をし、図２に示すように横断面形状が楕円弧状をしている。カバー９は、横断面が楕円弧状をした本体部９１と、本体部９１の長手方向の端部を塞ぐ端壁部９３と、本体部９１の短手方向の端部から外方へと張り出す外鍔部９５とを有する。
【００５２】
カバー９の全幅は、ベース５の開口５３ｃの幅よりも大きい。外鍔部９５の張出量は、一方の外鍔部９５を開口５３ｃからベース５内に挿入し、さらに本体部９１における一方の外鍔部９５側の端をベース５の内鍔部分５３ｂの周縁に接触させた状態で、他方の外鍔部９５がベース５の内鍔部分５３ｂと接触せずにベース５内に挿入されるような量である。
【００５３】
カバー９は、光源部７からの光を拡散させる機能もある場合は、内周面に対してブラスト処理を行ったり、内周面に拡散材料を塗布したり、樹脂材料に拡散材料を混入したりすることで実施できる。
【００５４】
（５）その他
ベース５は、光源部７と近い位置にある。このため、例えば、ベース５の内面であって、光源部７を装着していない部分に蓄光材料を塗布してもよい。これにより、消灯後も暫く可視光をＬＥＤ照明装置から出射することができる。
【００５５】
３．作用
（１）ＬＥＤ照明装置１は、一般照明の用途（第１用途）に利用される白色光を出射する複数個の白色ＬＥＤ（第１ＬＥＤ）１１と、エネルギ蓄積の用途（第２用途）に利用される紫外線を出射する複数個の紫外線ＬＥＤ（第２ＬＥＤ）１３とを一体に備えている。このため、ＬＥＤ照明装置１は、一般照明用の照明装置として機能しつつ、蓄光材料へのエネルギ蓄積用の照射装置としても機能する。したがって、２つの用途の装置を、１つの装置で実施でき、２つの装置を別々に設ける場合に比べて、安価に実施できる。
【００５６】
（２）紫外線ＬＥＤ１３は、白色ＬＥＤ１１を接続する導電路上に設けられている。このため、紫外線ＬＥＤ１３用の導電路を白色ＬＥＤ１１と別に設ける必要がなくなる。つまり、ＬＥＤ照明装置１は、紫外線ＬＥＤ１３専用の新たな回路や導電路（配線パターン）を必要とせず、例えば、白色ＬＥＤ１１だけを点灯させる従来の点灯回路や基板をそのまま利用することができる。このため、簡単な構造且つ安価に、２つの用途に利用できるＬＥＤ照明装置１を提供できる。
【００５７】
（３）紫外線ＬＥＤ１３から照射される紫外線の波長は、３８０ｎｍ〜４１０ｎｍである。これにより、地下鉄のホーム等に使用した場合でも、人体への影響もない。
【００５８】
また、紫外線の波長が３８０ｎｍ〜４１０ｎｍの場合、カバー９材料として、紫外線用の特殊なアクリル樹脂やガラスを必要とせず、一般のアクリル樹脂材料やガラス材料を使用できる。これにより、ＬＥＤ照明装置１を安価に提供することができる。
【００５９】
図６は、蓄光材料の励起スペクトルを示す図である。
蓄光材料は、図６に示すように、波長が３００ｎｍ〜４４０ｎｍで高い励起を生じる。通常の白色蛍光灯は、４３５ｎｍ付近で１つのピークを有しており、白色蛍光灯から発せられた４３５ｎｍ付近の光により蓄光材料が励起することが分かる。
【００６０】
一方、紫外線ＬＥＤ１３は、今般種々の波長でピークを有するものが開発されている。このような紫外線ＬＥＤ１３は、狭い波長領域（半値幅の狭い）の光を出射する特性を有している。
【００６１】
したがって、蓄光材料へのエネルギ蓄積用の光源として、ＬＥＤは好適であり、蓄光材料の励起スペクトルに合わせた紫外線ＬＥＤ１３を利用することできる。
【００６２】
このため、一般照明用（第１用途）の白色ＬＥＤ１１（第１ＬＥＤ）の個数を大幅に少なくさせることなく、蓄光材料へのエネルギ蓄積が行える。
【００６３】
（４）使用する第２ＬＥＤの個数を適宜設計することで、異なる種々の用途へ照明装置を適用できる。
【００６４】
（５）基板の配線パターンが、ｎ直ｍ列用である場合（ｎ、ｍとも２以上の自然数であり、上記例では、「ｎ」が３６、「ｍ」が６である。）、例えば、各列において、各直列群内のｎ個のＬＥＤの内、同数のｌ個（ｌは自然数である。）だけ紫外線ＬＥＤ１３（（ｎ−ｌ）個は白色ＬＥＤ１１である。）にすると、各直列群での白色光の輝度が等しくなり、輝度ムラを少なくできる。
【００６５】
４．その他
上記の第１の実施形態では、ＬＥＤ照明装置１を、蓄光材料を利用して誘導情報を表示するような分野に適用した例について説明した。しかし、蓄光材料を他の分野に適用したような分野にも適用できる。
【００６６】
たとえば、アナログ式時計において、表示板や針に蓄光材料を塗布している場合に、ＬＥＤを光源とするＬＥＤ常夜灯にも適用できる。この場合、常夜光源用のＬＥＤが第１ＬＥＤに、蓄光材料のエネルギ蓄積用の紫外線ＬＥＤが第２ＬＥＤに相当する。
【００６７】
このような分野においては、紫外線ＬＥＤから出射される紫外線の光量は、常夜灯消灯時にアナログ時計の表示板や針から可視光が出射されるように、蓄光材料にエネルギを蓄積できる程度である。
【００６８】
＜第２の実施形態＞
上記第１の実施形態に係るＬＥＤ照明装置１として、地下鉄のホーム等で使用され、白色ＬＥＤ１１を一般照明の用途とし、紫外線ＬＥＤ１３を蓄光材料へのエネルギ蓄積の用途とし、それぞれ説明した。しかしながら、紫外線ＬＥＤを第１用途とするＬＥＤ光源としても適用できる。
【００６９】
このようなＬＥＤ光源の用途としては、例えばＵＶ硬化樹脂を硬化させるための作業室の照明がある。ここでは、ＬＥＤ光源であるＬＥＤ電球について説明する。なお、このＬＥＤ電球は、例えば、白熱電球や電球型蛍光ランプを着脱自在に装着できる従来の照明器具に装着される。
【００７０】
１．構成
図７は、第２の実施形態に係るＬＥＤ電球１０１の全体図である。図８は、光源部１０３の平面図である。なお、図８の「１５３」は、白色ＬＥＤからなる従来の光源部（従来品）である。
【００７１】
ＬＥＤ電球１０１は、図７に示すように、光源部１０３、基台１０５、ケース１０７、口金１０９、グローブ１１１、点灯回路１１３を備える。
【００７２】
光源部１０３は、図８の発明品で示すように、基板１２１上に複数のＬＥＤ１２３，１２５が実装されてなる。ここでのＬＥＤ１２３，１２５は、表面実装タイプのＳＭＤである。
【００７３】
ＬＥＤ１２３は白色光を出射し、ＬＥＤ１２５は紫外線を出射する。紫外線ＬＥＤ１２５の個数は、白色ＬＥＤの個数より多くなっている。具体的には、ＬＥＤ１２３，１２５の合計数は３２個であり、白色ＬＥＤ１２３が１２個であり、紫外線ＬＥＤ１２５が２０個である。なお、各ＬＥＤ１２３，１２５の個数は一例である。
【００７４】
紫外線ＬＥＤ１２５は、ＵＶ硬化型の樹脂材料の硬化を促進させるものであり、対象の樹脂材料の仕様に合わせた波長領域の紫外線を照射する。ＵＶ硬化型の樹脂としては、例えば、エポキシ、アクリル樹脂等がある。これらの樹脂は、３５０ｎｍ〜４１０ｎｍの波長の紫外線によって硬化するため、ピーク波長が上記範囲内にある（例えば、３６５ｎｍにピーク波長がある）紫外線を照射するＬＥＤが利用される。
【００７５】
従来の一般家庭で使用されるＬＥＤ電球は、例えば、図８の従来品で示すように、基板１２１上に３２個の白色ＬＥＤ１２３が実装されている。第２の実施形態の形態では、従来の基板１２１を利用し、３２個の白色ＬＥＤ１２３の内、２０個を紫外線ＬＥＤ１２５に置き換えて実装している。このため、新規な基板等を設計する必要がなく、安価に簡単な構造で実施できる。
【００７６】
３２個のＬＥＤ１２３，１２５は、図８に示すように、例えば６行６列のマトリクスの４角に位置する部分を除いた状態で、基板１２１に実装されている。紫外線ＬＥＤ１２５は２列で「＋」の字状に配され、白色ＬＥＤ１２３が「＋」の字状の角に相当する部分に配されている。これにより、白色光が広い範囲に向かってＬＥＤ電球１０１から照射されることとなる。
【００７７】
なお、紫外線ＬＥＤ１２５が配されている「＋」の字のクロス部分の中心が、円板状の基板１２１の中心と一致している。
【００７８】
３２個のＬＥＤ１２３，１２５は、例えば、８直４並列に接続され、８個の直列接続において、５個が紫外線ＬＥＤ１２５であり、３個が白色ＬＥＤ１２３である。
【００７９】
基台１０５は平板状をし、その表面に光源部１０３が搭載される。なお、光源部１０３の基台１０５への装着は、例えば、ねじ等の取付（装着）手段を利用することができる。基台１０５は、金属材料や樹脂材料により構成されている。光源部１０３の発光時の熱を考慮すると、基台１０５の材料として金属材料が利用されるのが好ましい。
【００８０】
ケース１０７は筒状をし、その一端が基台１０５により塞がれ、他端に口金１０９が装着される。ケース１０７は、例えば、図７に示すように、グローブ１１１に近い側から、大径筒部１２７、傾斜筒部１２９、小径筒部１３１を有する。
【００８１】
大径筒部１２７の内側に基台１０５が装着され、小径筒部１３１に口金１０９が外嵌している。なお、大径筒部１２７と基台１０５との装着には例えば接着剤が、小径筒部１３１と口金１０９との装着には例えばカシメがそれぞれ利用されている。
【００８２】
ケース１０７内には、点灯回路１１３が収容される。
【００８３】
点灯回路１１３は、整流回路、平滑回路、電圧変換回路を有する。口金１０９は、ここでは、ねじ込み式のＥタイプが利用されている。グローブ１１１は、ガラス材料により形成され、ここでは、白熱電球のバルブ形状に似た形状をしている。
【００８４】
第２の実施の形態では、一例として、天井等に固定的に設けられた照明器具に装着されるＬＥＤ光源について説明したが、携帯タイプの照明装置（例えば、懐中電灯）に装着されるようなＬＥＤ光源であってもよい。
【００８５】
２．作用
ＬＥＤ電球１０１は、第１用途に利用される光を出射する複数個の第１ＬＥＤ１２５と、第２用途に利用される光を出射する１個または複数個の第２ＬＥＤ１２３とを一体に備え、第２ＬＥＤ１２３が第１ＬＥＤ１２５を接続する導電路上に設けられている。
【００８６】
これにより、第２ＬＥＤ１２３用の導電路を第１ＬＥＤ１２５用の導電路とは別に設ける必要がなくなる。ＬＥＤ電球１０１は、第２ＬＥＤ１２３用の新たな回路や導電路（配線パターン）を必要とせず、第１ＬＥＤ１２５を点灯させる点灯回路や基板をそのまま利用することができる。
【００８７】
＜第３の実施形態＞
上記第２の実施形態では、ＬＥＤ電球を利用して、ＵＶ硬化樹脂材料を硬化させるＬＥＤ電球１０１について説明した。
【００８８】
しかしながら、ＬＥＤをライン状に配した複数本の光源ユニットがすだれ状に配されてなるＬＥＤ照射装置にも適用できる。
【００８９】
図９は第３の実施形態に係るＬＥＤ照射装置の平面図であり、図１０は１つの光源ユニットの一端側の斜視図であり、図１１はＬＥＤ照射装置の一端側の拡大平面図であり、図１２はＬＥＤ照射装置の使用状態を示す断面図である。
【００９０】
１．構成
ＬＥＤ照射装置２０１は、長尺状の複数の光源ユニット２０３と、複数の光源ユニット２０３を当該光源ユニット２０３の短手方向に連結する連結具２０５とを備える。以下、光源ユニット２０３の長手方向と平行な方向を長手方向といい、光源ユニット２０３の短手方向と平行な方向を短手方向という。
【００９１】
光源ユニット２０３は、長尺状のベース２０７上にその長手方向に沿って複数個のＬＥＤ２０９が配されてなる。ベース２０７は、ＬＥＤ２０９を実装するための平坦面を有している。具体的には、ベース２０７として、Ｃ型チャンネルが利用され、内面の一部が平坦面となっている。
【００９２】
複数個のＬＥＤ２０９は、長尺矩形状の基板２１１上に実装されている。なお、この基板２１１は、ねじ、接着剤等の公知技術によりベース２０７上に装着（固定）されている。なお、複数個のＬＥＤ２０９は、ＵＶ硬化用の第１ＬＥＤと照明用の第２ＬＥＤとからなる。
【００９３】
光源ユニット２０３は、複数個のＬＥＤ２０９の光出射方向に突出する突出部２１５を有している。突出部２１５は、ベース２０７における基板２１１の長手方向の端部の外側に設けられている。
【００９４】
突出部２１５は、ベース２０７に着脱自在に装着されている。具体的には、突出部２１５は、図１０に示すように、棒体２１７が利用されている。この棒体２１７は、図１２に示すように、一端部分にねじ２１９を有している。
【００９５】
ベース２０７は、突出部２１５に対応する部分に貫通孔（図示省略）を有している。この貫通孔は、棒体２１７の一端部分のねじ２１９のみが挿入できる大きさである。突出部２１５を構成する棒体２１７は、ねじ２１９がベース２０７の貫通孔を挿通して、ねじ（ナット）２２１によって螺合されることにより、ベース２０７に着脱自在に装着される。
【００９６】
なお、棒体２１７は、交換可能であり、任意の長さの棒体２１７を選択することで、ベース２０７からの突出高さを調整できる。
【００９７】
連結具２０５は、複数本の光源ユニット２０３をベースの短手方向に屈曲自在に連結する。さらに、連結具２０５は、短手方向に隣接する一対の光源ユニット２０３との間隔を調整自在に一対の光源ユニット２０３を連結する。ここでの例において、光源ユニット２０３は、長手方向の両端部の２カ所で連結具２０５により、隣接する他の光源ユニット２０３と連結される。
【００９８】
連結具２０５は、湾曲可能な柔軟な材料により構成された線状体等を利用することができる。線状体の例としては、金属線、紐等がある。ここでは、連結具２０５として、図１２に示すように、結束バンド２２５が利用されている。なお、結束バンド２２５のバンド部分２２７がベース２０７の貫通孔２２９を通って、ヘッド部分２３１の取付孔に挿入される。
【００９９】
複数のＬＥＤ２０９は、図外の電源供給装置からケーブル線２４１を介して受電する。ケーブル線２４１は、一端にオスコネクタ２４３を有し、基板２１１に設けられたメスコネクタ２４５に着脱自在に装着される。なお、各光源ユニット２０３に接続されたケーブル線２４１が、保護チューブ２４９内を通る。
【０１００】
ＬＥＤ照射装置２０１は、図１２に示すように、例えば、管材２５１の外周面に塗布されたＵＶ硬化樹脂材料２５３を硬化させるのに利用できる。
【０１０１】
特に、本ＬＥＤ照射装置２０１は、長尺状の複数本の光源ユニット２０３を湾曲自在なすだれ状に配した構造を有している。このため、ＵＶ硬化樹脂材料２５３を硬化する際に、光源ユニット２０３の長手方向を管材２５１の管軸に沿うようにして、複数の光源ユニット２０３を管材２５１に巻きつけることができる。
【０１０２】
このとき、各光源ユニット２０３は、突出部２１５を備えているので、ＬＥＤ２０９と管材２５１との間隔を一定にできる。これにより、ＵＶ硬化樹脂材料２５３の硬化ムラを少なくできる。
【０１０３】
なお、ＬＥＤ２０９と管材２５１との間隔に対しては、対応する長さの棒体２１７を選択することで対応できる。管材２５１のサイズに対して、連結具２０５の長さを調整することで、対応できる。これにより、種々の形状の被照射面にも対応できる。このように第３の実施形態に係るＬＥＤ照射装置２０１は、これまでにない特徴的な構成を有している。
【０１０４】
第３の実施形態では、複数個のＬＥＤ２０９をＵＶ硬化用の第１ＬＥＤと照明用の第２ＬＥＤとから構成したが、例えば、複数本の光源ユニット２０３を、ＵＶ硬化用の第１ＬＥＤのみを備えるＵＶ光源ユニットと、一般照明用の第２ＬＥＤのみを備える白色光源ユニットとから構成してもよい。
【０１０５】
なお、ＬＥＤ照射装置２０１のすべてのＬＥＤを、例えば、一般照明用のＬＥＤとしてもよいし、ＵＶ硬化用のＬＥＤとしてもよいし、他の用途のＬＥＤとしてもよい。
【０１０６】
＜変形例＞
１．用途
用途が異なる２種以上のＬＥＤの例としては、上記以外に、例えば、以下のようなものがある。
【０１０７】
（１）農作物
農作物を工場内で栽培する工場栽培において、赤色ＬＥＤを光合成用として、青色ＬＥＤを葉の形態形成用として、従来から利用されている。第１用途が光合成又は葉形態形成であり、第１ＬＥＤが赤色ＬＥＤ又は青色ＬＥＤである。
しかしながら、近年、農作物には、紫外線による照射も必要であることが実験等で照明されており、第１用途以外に、第２ＬＥＤである紫外線ＬＥＤが、例えば実の色を濃くする第２用途で利用されつつある。
【０１０８】
（２）冷蔵庫
冷蔵庫に保管されている野菜は、紫外線が照射されると、ポリフェノールを増量できる。一方で紫外線を浴び過ぎると黄変して鮮度が低下してしまう。
【０１０９】
そこで、冷蔵庫の扉をあけると点灯する照明装置に、冷蔵庫を明るく照らすための白色ＬＥＤと、野菜のポリフェノールを増量させるための紫外線ＬＥＤとを利用できる。この場合、第１用途が照明用であり、第１ＬＥＤが白色ＬＥＤである。第２用途がポリフェノール増量用であり、第２ＬＥＤが紫外線ＬＥＤである。
【０１１０】
（３）誘虫
スーパー、コンビニ等で、店内の照明装置として、照射用の白色ＬＥＤと誘虫用の紫外線ＬＥＤとを利用できる。この場合、第１用途が照明用であり、第１ＬＥＤが白色ＬＥＤである。第２用途が誘虫であり、第２ＬＥＤが紫外線ＬＥＤである。
【０１１１】
２．ＬＥＤ
（１）発光色
第１及び第２の実施形態（以下、「実施形態等」という。）では、第１用途用の第１ＬＥＤや第２用途用の第２ＬＥＤは、発光色が１つの１種類のＬＥＤを用いたが、各用途について、発光色の異なる複数種類のＬＥＤを用いてもよい。
【０１１２】
例１は、上記の農作物において、第１用途が光合成と葉形態形成の２つあり、第１ＬＥＤとして、発光色の異なる赤色ＬＥＤと青色ＬＥＤの２種類のＬＥＤが利用されるような場合である。
【０１１３】
例２は、第１用途や第２用途が一般照明（白色光）であり、第１ＬＥＤや第２ＬＥＤとして、例えば、青色ＬＥＤと赤色ＬＥＤと緑色ＬＥＤとが利用されるような場合である。
【０１１４】
なお、第１ＬＥＤとして複数種類のＬＥＤを利用し、各色のＬＥＤ用の導電路を有する場合、１つの導電路を利用して第２ＬＥＤを接続すればよい。
【０１１５】
（２）形態
第１ＬＥＤ及び第２ＬＥＤの形態は特に限定するものではない。例えば、ベアチップでもよいし、ＳＭＤタイプでもよいし、砲弾型であってもよい。ただし、第１ＬＥＤと第２ＬＥＤとの形態は同じである方がよい。
【０１１６】
３．ＬＥＤ照射装置
第１の実施形態では、ＬＥＤ照射装置としてＬＥＤ照明装置に適用している。ＬＥＤ照明装置は、いわゆるベースライトであるが、一般家庭で利用されるシーリングライトであってもよいし、ダウンライトタイプであってもよい。
【０１１７】
また、第１の実施形態で説明した天井が、造営材としての一例であったが、壁、柱等を造営材としてもよい。
【０１１８】
さらに、導光板方式の照明装置であってもよい。なお、導光板方式には、導光板の主面に対してＬＥＤを対向させる直下タイプと、導光板の端面に対してＬＥＤを対向させるエッジタイプとがある。
【０１１９】
例えば、エッジタイプの照明装置（ＬＥＤ照射装置）の場合、導光板と、当該導光板の裏面に配された反射部材とを備え、前記第１ＬＥＤ及び第２ＬＥＤが前記導光板の端面に対向配置されることで装置が構成される。
【０１２０】
このとき、反射部材における導光板と対向する面に蓄光材料を設けてもよい。蓄光材料を設けることで、消灯後もしばらく可視光を照明装置から出射することができる。なお、反射部材としては、反射シートや反射板がある。
【０１２１】
また、上述したように、ピーク波長が紫外線に近い可視光を出射するＬＥＤを利用する場合、単独で利用することもできる。
【０１２２】
３．ＬＥＤ光源
第２の実施形態では、ＵＶ硬化樹脂の硬化促進用に電球タイプのＬＥＤ光源について説明した。しかしながら、他の光源として適用してもよい。他の光源としては、ベースライト、シーリングライト、ダウンライト用の光源等がある。つまり、直管状の蛍光灯、円環状の蛍光灯の代替用の光源等である。
【０１２３】
４．ＬＥＤ照射装置
第１の実施形態では、紫外線ＬＥＤ１３から出射された紫外線を蓄光材料に照射し、第２の実施形態では、紫外線ＬＥＤ１２５から出射された紫外線を紫外線硬化（ＵＶ硬化）型の樹脂材料に照射している。このため、ＬＥＤ照射装置としているが、装置としては、ＬＥＤから光を出射しているため、ＬＥＤ出射装置としてもよい。
【産業上の利用可能性】
【０１２４】
本発明は、２以上の主目的に使用できるＬＥＤ照明装置に有用である。
【符号の説明】
【０１２５】
１      ＬＥＤ照明装置
３      天井（造営材）
１１      白色ＬＥＤ（第１ＬＥＤ）
１３      紫外線ＬＥＤ（第２ＬＥＤ）
１８      導電路
２１      点灯回路
【図１】
2015165456.tif 000003
【図２】
2015165456.tif 000004
【図３】
2015165456.tif 000005
【図４】
2015165456.tif 000006
【図５】
2015165456.tif 000007
【図６】
2015165456.tif 000008
【図７】
2015165456.tif 000009
【図８】
2015165456.tif 000010
【図９】
2015165456.tif 000011
【図１０】
2015165456.tif 000012
【図１１】
2015165456.tif 000013
【図１２】
2015165456.tif 000014